(57)【要約】【課題】ドップラセンサを人体検知センサとして備えた便器装置において、ドップラセンサが便器内部の洗浄水の動きを拾ってしまって人体の動きと誤検知してしまう問題を解決する。【解決手段】人体検知センサとしてのドップラセンサ３０を備えた便器装置１０において、便器洗浄のための便器本体１４内部における洗浄水の動きを非検知の状態とするようにマイコン３２においてドップラセンサ３０を動作制御するようになす。そのため、便器本体１４内部を洗浄水が流れている間、ドップラセンサ３０による検知の感度を低く切り換えるようにする。【選択図】        図１
2005113438.tif 000002
【特許請求の範囲】
【請求項１】
人体検知センサとしてのドップラセンサと、各種機器を動作制御する制御部とを備えた便器装置において、
便器洗浄のための該便器内部における洗浄水の動きを実質的に非検知の状態とするように前記制御部において前記ドップラセンサを動作制御するようになしたことを特徴とする便器装置。
【請求項２】
請求項１において、前記便器の洗浄開始を示す洗浄信号に基づいて前記ドップラセンサによる検知を前記非検知の状態に切り換えることを特徴とする便器装置。
【請求項３】
請求項１において、前記便器装置が、使用者が便座から立ち上がって離れたときに脱座判定し、該脱座判定に基づいて前記便器を自動洗浄する自動洗浄機能付きの便器装置であって、
前記便座に着座した使用者が該便座に対し非着座状態となったときの非着座検知に基づき、該非着座検知後の設定経過時間後に前記ドップラセンサによる検知を前記非検知の状態に切り換えることを特徴とする便器装置。
【請求項４】
請求項３において、前記非着座検知後、前記脱座判定までの時間として設定した第２設定経過時間よりも短い第１設定経過時間後に前記ドップラセンサによる検知を前記非検知の状態に切り換えることを特徴とする便器装置。
【請求項５】
請求項３において、前記第２設定経過時間後に前記ドップラセンサによる検知を前記非検知の状態に切り換えることを特徴とする便器装置。
【請求項６】
請求項２〜５の何れかにおいて、前記便器の洗浄終了を示す洗浄終了信号に基づいて前記ドップラセンサによる正常な検知を復帰させることを特徴とする便器装置。
【請求項７】
請求項２〜５の何れかにおいて、設定した非検知時間経過後に前記ドップラセンサによる正常な検知を復帰させることを特徴とする便器装置。
【請求項８】
請求項１〜７の何れかにおいて、前記便器の洗浄動作中前記制御部において前記ドップラセンサを動作停止若しくは感度低下させ又は該ドップラセンサによる検知情報を無効とすることによって前記非検知の状態とすることを特徴とする便器装置。
【発明の詳細な説明】
【技術分野】
【０００１】
この発明はドップラセンサを人体検知センサとして備えた便器装置に関する。
【背景技術】
【０００２】
従来より、便器装置において使用者の有無を人体検知センサで検知し、これに基づいて制御部において各種機器を動作制御することが広く行われている。
【０００３】
例えば便器の使用者を検知することで便蓋を自動的に開いたり、使用後において使用者が検知エリアから離れることで洗浄水を自動的に流したり、便座や便蓋を自動的に閉じたりすることが行われている。
【０００４】
従来、かかる便器装置における人体検知センサとしては赤外線式センサが主として用いられており、使用者が検知エリアに入ったときに使用者によって反射される反射光の受光に基づいて使用者を検知するようにしていた。
【０００５】
しかしながらこの赤外線式センサの場合、反射光量の大小に基づいて使用者の有無を検知するものであることから、検知エリア内に使用者がいるかいないかを判別できるのみであり、使用者の細かな挙動については検知することができず、誤った検知に基づいて各種機器を誤動作させてしまうという場合も生じていた。
【０００６】
またこの赤外線式センサを用いる場合、所定の箇所に透光性の窓部を設けて、その窓部に臨むように赤外線式センサを埋設するといったことが必要であり、この場合その窓部によって美観が損われたり、或いは便器その他のデザインの自由度が制限されるといった問題があった。
【０００７】
このようなことから近年、便器装置において使用者検知のためにドップラセンサを用いることが提案されている（例えば下記特許文献１，特許文献２，特許文献３，特許文献４，特許文献５，特許文献６，特許文献７）。
ドップラセンサの場合、電波（マイクロ波）が透過する樹脂製品や木製品の内部にこれを隠蔽状態に設置しておくことが可能である。
【０００８】
ところでこのドップラセンサは検知対象即ち使用者の動きを検知するものであることから、便器洗浄のための便器内部における洗浄水の動きを拾ってしまって、これを使用者の動きと誤検知してしまう恐れがある問題がある。
このような課題については従来指摘されておらず、従ってその対策についての提案も行われていないのが実情である。
【０００９】
【特許文献１】特開２００１−３０５２２０号公報
【特許文献２】特開２００２−７１８２４号公報
【特許文献３】特開２００２−７０１１９号公報
【特許文献４】特開２００３−２１６７７号公報
【特許文献５】特開２００２−２８５６２４号公報
【特許文献６】特開２００１−３１１７７３号公報
【特許文献７】特開２００１−２３１７１６号公報
【発明の開示】
【発明が解決しようとする課題】
【００１０】
本発明の便器装置はこのような事情を背景とし、ドップラセンサを人体検知センサとして備えた便器装置において、そのドップラセンサが検知対象即ち使用者の動きを検知することによって人体検知を行うことに起因して生じる特有の問題を解決することを目的としてなされたものである。
【課題を解決するための手段】
【００１１】
而して請求項１の便器装置は、人体検知センサとしてのドップラセンサと、各種機器を動作制御する制御部とを備えた便器装置において、便器洗浄のための該便器内部における洗浄水の動きを実質的に非検知の状態とするように前記制御部において前記ドップラセンサを動作制御するようになしたことを特徴とする。
【００１２】
請求項２のものは、請求項１において、前記便器の洗浄開始を示す洗浄信号に基づいて前記ドップラセンサによる検知を前記非検知の状態に切り換えることを特徴とする。
【００１３】
請求項３のものは、請求項１において、前記便器装置が、使用者が便座から立ち上がって離れたときに脱座判定し、該脱座判定に基づいて前記便器を自動洗浄する自動洗浄機能付きの便器装置であって、前記便座に着座した使用者が該便座に対し非着座状態となったときの非着座検知に基づき、該非着座検知後の設定経過時間後に前記ドップラセンサによる検知を前記非検知の状態に切り換えることを特徴とする。
【００１４】
請求項４のものは、請求項３において、前記非着座検知後、前記脱座判定までの時間として設定した第２設定経過時間よりも短い第１設定経過時間後に前記ドップラセンサによる検知を前記非検知の状態に切り換えることを特徴とする。
【００１５】
請求項５のものは、請求項３において、前記第２設定経過時間後に前記ドップラセンサによる検知を前記非検知の状態に切り換えることを特徴とする。
【００１６】
請求項６のものは、請求項２〜５の何れかにおいて、前記便器の洗浄終了を示す洗浄終了信号に基づいて前記ドップラセンサによる正常な検知を復帰させることを特徴とする。
【００１７】
請求項７のものは、請求項２〜５の何れかにおいて、設定した非検知時間経過後に前記ドップラセンサによる正常な検知を復帰させることを特徴とする。
【００１８】
請求項８のものは、請求項１〜７の何れかにおいて、前記便器の洗浄動作中前記制御部において前記ドップラセンサを動作停止若しくは感度低下させ又は該ドップラセンサによる検知情報を無効とすることによって前記非検知の状態とすることを特徴とする。
【発明の作用・効果】
【００１９】
以上のように本発明は、便器洗浄のための便器内部における洗浄水の動きをドップラセンサが実質的に非検知の状態とするようにこれを動作制御するもので、本発明によれば、便器洗浄の際に便器内部における洗浄水の動きをドップラセンサが拾ってしまってこれを人体（使用者）の動きと誤検知する問題を解決でき、従ってドップラセンサによる誤検知により各種機器が誤って動作させられてしまう問題を解決することができる。
【００２０】
この場合において、便器の洗浄開始を示す洗浄信号に基づいてドップラセンサによる検知を非検知の状態に切り換えるようになすことができる（請求項２）。
これにより便器洗浄が開始するときはドップラセンサによる検知を非検知の状態とすることができる。
【００２１】
一方便器装置が自動洗浄機能付きの便器装置である場合、便座に着座した使用者が便座に対し非着座状態となったときの非着座検知に基づき、その後設定経過時間後に非検知の状態への切換えをなすようにすることができる（請求項３）。
これにより使用者の非着座検知の状態が続くと、ドップラセンサによる検知は非検知の状態となる。
【００２２】
更にこの場合において、非着座検知後、脱座判定までの時間として設定した第２設定経過時間よりも短い第１設定経過時間後に非検知の状態への切換えをなすようにすることができる（請求項４）。
このようにすれば、便器の洗浄開始前からドップラセンサによる検知を非検知の状態とすることができる。また非着座検知を基に便器洗浄，ドップラセンサによる検知の非検知状態への切換えの制御ができる。
【００２３】
一方第２設定経過時間後に非検知状態への切換えをなすようにしても良い（請求項５）。
このようにすれば非着座検知の信号１つで自動洗浄及びドップラセンサによる検知の非検知状態への切換えが制御できる。
【００２４】
次に請求項６は、便器の洗浄終了を示す洗浄終了信号に基づいてドップラセンサによる正常な検知を復帰させるようになしたもので、このようにすることで、便器洗浄のための洗浄水の動きをドップラセンサが拾ってしまうのを確実に防止することができる。
【００２５】
一方請求項７は、設定した一定時間即ち非検知時間経過後にドップラセンサによる正常な検知を復帰させるようになしたもので、この場合においてもその一定時間を適正に設定しておくことで自動的にドップラセンサによる正常な検知を復帰させることができる。
【００２６】
これらの場合において、便器の洗浄動作中ドップラセンサを動作停止若しくは感度低下させ又はドップラセンサによる検知情報を無効とすることができる（請求項８）。
このようにすることによって、便器内部における洗浄水の動きを使用者の動きと誤検知してしまうのを防止することができ、また制御基板の変更だけで対応できる。
【００２７】
ここで感度低下させるとは、例えば反射波の強度の大きい人の動きについては検知可能とする一方、反射波の強度の小さい洗浄水の動きについてはこれを検知不能とする程度に感度を低くする場合、及び人の動き自体をも検知しないように感度を低くする場合の両方を含むものである。
【００２８】
また便器洗浄のための洗浄水の動きを非検知の状態とするとは、実質的に便器洗浄に寄与する大流量での洗浄水の流れ（動き）を意味するものであって、便器洗浄の後期且つ流れが完全停止する直前の微流量での洗浄水の流れを必ずしも含むことを意味しない。
このような微流量の流れ（動き）は、元々ドップラセンサは検知しない。
【発明を実施するための最良の形態】
【００２９】
次に本発明の実施形態を図面に基づいて詳しく説明する。
図１において、１０はトイレ室１２内の洋風便器装置（以下単に便器装置とする）で、１４は便器１１における便器本体、１６，１８はそれぞれ開閉可能な便座及び便蓋である。
便器本体１４の後部上側には、洗浄タンク２０が設置されている。
ここで洗浄タンク２０は、便器１１の洗浄水を蓄える内部タンクをタンクカバー２２が全体的に覆った形態をなしている。ここでタンクカバー２２は樹脂製とされている。
【００３０】
この例の便器装置１０は、洗浄ノズル２４から局部洗浄水をシャワー噴射して人体局部を洗浄する局部洗浄装置付きのもので、壁Ｗに各種機器、具体的には便蓋開閉モータ，便座開閉モータ，シャワーバルブ，便座ヒータ，脱臭ファン，温水ヒータ等の各種機器を遠隔操作するためのリモコン２６が取り付けられている。
このリモコン２６にはまた、便器洗浄機構を動作させて便器洗浄を行うための洗浄スイッチ２６Ａが備えられている。
【００３１】
２８は便座１６への使用者の着座を検知する着座センサである。この着座センサ２８は、ここでは反射型の赤外線式センサとされている。
但しかかる着座センサ２８としては、便座１６内部に設けた便座ヒータをセンサの一部として用いた静電容量式のセンサ、即ち便座１６への使用者の着座による静電容量の変化によって着座を検知する静電容量式のセンサその他のセンサとすることが可能である。
【００３２】
この例の便器装置１０はまた、人体検知即ち使用者の検知に基づいて自動的に便蓋１８を開閉動作させ、また便座１６を閉動作させる機能を有するもので、タンクカバー２２の内側の隠れた位置に、使用者検知のためのドップラセンサ３０及びドップラセンサ３０からの信号に基づいて各種制御を行うマイコン３２を搭載した制御基板（制御部）３４が設けられている。
【００３３】
尚、ドップラセンサ３０はタンクカバー２２で囲まれた内側に配置されており、これから発する送信波（電波（マイクロ波））のビームが便器１１側から見て正面方向を向くようにその取付けの向きが選ばれている。
【００３４】
このドップラセンサ３０は、検知対象即ち使用者に対して送信波（１０ＧＨｚ程度の高周波の電波）を送り、そして使用者が移動しているとき使用者からの反射波の周波数が変化する、いわゆるドップラ効果に基づいて使用者を検知する。
【００３５】
本実施形態では、便器１１の洗浄動作中詳しくは便器本体１４内部（洗浄タンク２０のバルブ接続部から便鉢放出までの便器内給水路を含む）をその洗浄水が流れている間、ドップラセンサ３０による検知を実質的に非検知の状態に切り換える。
具体的にはここではドップラセンサ３０が洗浄水の動きを拾わないようにマイコン３２の制御の下にその感度を低下させる。具体的な方法としては、しきい値を上げる、増幅率を下げる、発信信号強度を下げるなどの方法を用いることができる。
【００３６】
図２はその一具体例としての動作をタイムチャートで表したものである。
図示のようにここでは使用者が便座１６に着座した後に便座１６から離れて着座センサ２８が非着座検知した後、第２設定経過時間（ここでは１０秒）後に脱座判定が行われて同時に洗浄信号が出され、これに基づいて便器１１の洗浄動作が開始される。
即ち洗浄タンク２０内部の洗浄水が排出されて便器１１、詳しくは便器本体１４内部を流れて便器洗浄が行われる。
【００３７】
尚この洗浄信号に基づいて洗浄を開始させるに際し、例えば洗浄タンク２０内部の洗浄水を排出させるためのフロート弁をモータで引き上げるようになしておき、そのモータへの駆動開始信号をもって洗浄信号となすことができる。
或いはまた電磁バルブ等の電気駆動弁を開弁させるための開弁信号をもって洗浄信号となすことができる。
【００３８】
この例では、この洗浄信号と同時にドップラセンサ３０による検知の感度が低く切り換えられる。
詳しくは、ドップラセンサ３０が便器本体１４内部を流れる洗浄水の動きを拾わない感度まで低下せしめられる。
【００３９】
このドップラセンサ３０による検知の感度の低下、即ちドップラセンサ３０による非検知の状態はその後設定した一定時間（非検知時間：ここでは２０秒）継続される。
この例において、この感度低下時間は洗浄動作に必要な時間よりも僅かに長く設定されている。
即ち洗浄動作が終了した後、所定時間経過した後にドップラセンサ３０による検知の感度が元に戻され、ドップラセンサ３０による検知が元の正常な検知に復帰させられる。
【００４０】
図３はその際のマイコン３２における制御の具体的内容をフローチャートで表したものである。
同図に示しているようにここでは着座センサ２８による着座検知の後（ステップＳ１０）、使用者が便座１６から離れたタイミングで非着座タイマがスタートし（ステップＳ１６，Ｓ１８）、そして非着座検知後第２設定経過時間（ここでは１０秒）が経過したところで脱座判定がなされ、これとともに洗浄信号が出されて洗浄水の供給による便器洗浄が開始される。またこれと同時にドップラセンサ３０による検知の感度が低く切り換えられる（ステップＳ２２，Ｓ２４，Ｓ２６，Ｓ２８）。
【００４１】
そして図４（Ａ）に示しているように感度タイマがスタートし、そして一定時間（ここでは２０秒）が経過したところでドップラセンサ３０による検知の感度を再び元の感度に復帰させる（ステップＳ３０，Ｓ３２，Ｓ３４）。
【００４２】
尚、この例では図３に示しているようにステップＳ１０の着座検知とステップＳ１６の非着座検知との間のステップＳ１２において、リモコン２６詳しくは洗浄スイッチ２６Ａの操作によるリモコン洗浄信号が出されたか否かが判定され、そして洗浄信号が出されたときにはステップＳ１４において洗浄開始とドップラセンサ３０による検知の感度低下が行われる。
そしてこれに続いて図４（Ａ）に示す各ステップが実行される。
【００４３】
この例ではまた、ステップＳ２２において、非着座検知後の時間が設定した第２設定経過時間を経過していないと判定されたとき、ステップＳ３８において着座検知の有無が判定され、その結果着座検知があったときにはステップＳ１２に戻り、また着座検知が無いときにはステップＳ１８とＳ２２との間のステップＳ２０に戻って、リモコン洗浄信号の有無が判定され、そしてリモコン洗浄信号が無いときには次のステップＳ２２が実行され、また一方洗浄信号があったときはステップＳ３６に続いて図４（Ａ）の各ステップが実行される。
【００４４】
以上の例では洗浄信号が出されてから設定した一定時間だけドップラセンサ３０による検知の感度が低く切り換えられるが、洗浄タンク２０の満水信号に基づいてドップラセンサ３０による検知の感度を正常な感度に戻すようになしても良い。
図５はその際のタイムチャートを、図４（Ｂ）はマイコン３２における制御内容をフローチャートで示したものである。
【００４５】
図４（Ｂ）に示しているようにその際にはステップＳ４０において洗浄タンク２０の満水信号の有無が判定され、そして満水信号があったときにドップラセンサ３０による検知の感度が元の通常の感度へと戻される（ステップＳ３４）。
【００４６】
図６は他の例のタイムチャートを表したもので、ここでは使用者の非着座検知から第１設定経過時間（ここでは５秒）の後に洗浄動作に先立ってドップラセンサ３０による検知の感度を低く切り換えるようになした例である。
【００４７】
詳しくは、ここでは先ず第１設定経過時間である５秒の後にドップラセンサ３０による検知の感度を低く切り換え、そして非着座検知から第２設定経過時間（ここでは１０秒）の後に便器洗浄を開始し、そして感度を低く切り換えてから２５秒経過したところでドップラセンサ３０による検知の感度を再び元の正常な感度、即ち正常な検知状態に戻すようになしている。
尚、便器１１の洗浄動作は洗浄信号に基づいて開始される点で上記の例と同様である。
【００４８】
図７及び図８はその際の制御の内容を具体的にフローチャートで示したものである。
図示のようにここではステップＳ１６の非着座検知後においてステップＳ１８で非着座タイマをスタートさせ、そして第１設定経過時間の５秒が経過したか否かがステップＳ４２で判定され、その結果５秒を経過しているときには、そこでドップラセンサ３０による検知の感度が低く切り換えられる（ステップＳ４４）。
【００４９】
これと同時に感度タイマがスタートし（ステップＳ４６）、そして図８に示しているように第２設定経過時間である１０秒を経過したところで脱座判定され（ステップＳ２２，Ｓ２４）、これに続いてステップＳ２６で洗浄信号が出されてステップＳ５６で洗浄開始が行われる。
その後、感度タイマによるカウントが２５秒を経過したところで（この２５秒は第１設定経過時間である５秒から第２設定経過時間である１０秒までの間の５秒を２０秒に加えた値である）、ドップラセンサ３０による検知の感度が正常な感度へと戻される（ステップＳ５８，Ｓ６０）。
【００５０】
尚、ここではステップＳ４２で非着座タイマがタイムアップする間に再び着座検知の有無が判定され（ステップＳ６２）、そして着座検知があったときにはステップＳ１２に戻って以下の各ステップが実行される。
また着座検知が無かったときにはステップＳ２０に戻って、それ以後の各ステップが実行される。
【００５１】
更に感度タイマがタイムアップする間にステップＳ４８で着座検知の有無が判定され、そして着座検知があったときにはその時点でドップラセンサ３０による検知の感度が元の正常な感度に戻され（ステップＳ５０）、その上でステップＳ１２に戻って以後の各ステップが実行される。
【００５２】
また図８のステップＳ２２，Ｓ３８に示しているように非着座タイマが第２設定経過時間をタイムアップする間に着座検知がなされたときには、ステップＳ１２に戻って以下の各ステップが実行される。
また着座検知が無かったときにはステップＳ５２に戻ってリモコン洗浄信号の有無が判定され、そしてリモコン洗浄信号が無いときには再度ステップＳ２２が実行され、一方洗浄信号があったときはステップＳ５４が実行される。
【００５３】
次に図１０は更に他の例のタイムチャートを表したもので、この例は図９に示す便器装置１０、即ち洗浄タンクを備えず電磁バルブ６８の開閉によって洗浄水の供給と遮断、即ち便器洗浄の開始と終了とを行う場合の例である。
ここでは図１０に示しているように脱座判定時に出される洗浄信号に基づいて便器の洗浄動作が開始され（電磁バルブ６８が開弁され）、そして洗浄終了信号に基づいて洗浄動作が終了する（電磁バルブ６８が閉弁される）。
そしてドップラセンサ３０による検知は、その洗浄信号と洗浄終了信号との間だけ感度が低く切り換えられる。
【００５４】
図１１及び図１２はその際の制御の内容をフローチャートで表したもので、この内図１１に示す内容は第１の例と基本的に同様である。
但しステップＳ１４，Ｓ２８，Ｓ３６における洗浄開始は電磁バルブ６８の開弁によって行われる。
そしてここでは図１２に示しているように洗浄終了信号とともに洗浄終了が行われ（ステップＳ６４，Ｓ６６）、これと同時にドップラセンサ３０による検知の感度が元の正常な感度へと戻される（ステップＳ３４）。
【００５５】
図１３は更に他の例を示している。
この例は、洗浄開始とドップラセンサ３０による検知の感度を低く切り換えるタイミングについては図９〜図１２に示した例と同様であるが、ドップラセンサ３０による検知の感度を正常な感度に戻す際の時期が異なっている。
【００５６】
詳しくは、図１３に示しているように洗浄信号が出されるのと同時に洗浄動作が開始される（電磁バルブ６８が開弁される）とともに、ドップラセンサ３０による検知の感度が低く切り換えられる。
そして洗浄終了信号が出されるのと同時に洗浄動作が終了する（電磁バルブ６８が閉弁される）。
そして洗浄動作が終わった後僅かに遅れて、即ち感度が低く切り換えられた後、一定時間の２０秒が経過した後においてドップラセンサ３０による検知の感度が再び正常な感度に戻される。
【００５７】
図１４，図１５はその際の具体的な制御の内容をフローチャートで表したもので、このうち図１４に示す各ステップは図１１におけるそれと同様である。
この例では、洗浄開始とともにドップラセンサ３０による検知の感度が低く切り換えられ、同時に図１５のフローチャートに示すようにステップＳ７０で感度タイマがスタートし、そして感度タイマがタイムアップしたところで、即ち２０秒が経過したところでドップラセンサ３０による検知の感度が元の感度に戻される（ステップＳ３２，Ｓ３４）。
尚この例においても、洗浄の終了は洗浄終了信号に基づく電磁バルブ６８の閉弁によって行われる（ステップＳ６４，Ｓ６６）。
【００５８】
以上の例では、直接的には洗浄信号に基づいてドップラセンサ３０による検知の感度を低く切り換えるようにしているが、このような洗浄信号の有無に拘らず、脱座判定に基づいてドップラセンサ３０による検知の感度を低く切り換えるようになすことも可能である。
図１６はその例を示している。
【００５９】
このうち図１６（Ａ）の例は、脱座判定による信号に基づいてドップラセンサ３０による検知の感度を低く切り換え、そして洗浄終了信号に基づいてドップラセンサ３０による検知の感度を元の正常な感度へと戻すようになした例である。
【００６０】
また図１６（Ｂ）の例は、脱座判定による信号によってドップラセンサ３０による検知の感度を低く切り換える一方、洗浄タンク２０内部の洗浄水が満水となったときに、その満水信号に基づいてドップラセンサ３０による検知の感度を元の正常な感度へと戻すようになした例である。
尚、洗浄水の満水信号は例えば洗浄タンク２０内の水位を液面センサ等で監視し、その水位が満水状態となったときにその液面センサから信号を出すなどして満水信号を得ることができる。
勿論他の手段によって満水信号を得ることも可能である。
【００６１】
次に図１６（Ｃ）の例は、脱座判定による信号に基づいてドップラセンサ３０による検知の感度を低く切り換える点は同様であるが、ここではその後一定時間（ここでは２０秒）を経過したところで、ドップラセンサ３０による検知の感度を元の正常な感度へと戻すようにしている。
【００６２】
以上のように本例の便器装置１０によれば、便器洗浄の際に便器本体１４内部における洗浄水の動きをドップラセンサ３０が拾ってしまってこれを使用者の動きと誤検知する問題を解決することができ、従ってドップラセンサ３０による誤検知により各種機器が誤って動作させられてしまう問題を解決することができる。
【００６３】
以上本発明の実施形態を詳述したがこれらはあくまで一例示である。
例えば上例では何れもドップラセンサ３０による検知の感度を低く切り換えることによって便器本体１４内部における洗浄水の動きを非検知の状態とするようにしているが、勿論ドップラセンサ３０を停止させることによってこれをなすことも可能であるし、或いはまたドップラセンサ３０は通常通り動作させておく一方で、ドップラセンサ３０による検知情報を制御部において無効とすることにより便器本体１４内部における洗浄水の動きを実質的に非検知の状態となすことも可能であるなど、本発明はその趣旨を逸脱しない範囲において種々変更を加えた形態で構成可能である。
【図面の簡単な説明】
【００６４】
【図１】本発明の一実施形態の便器装置を示す図である。
【図２】同便器装置の動作の一例を表すタイムチャートである。
【図３】図２の動作に対応した制御の実行内容を具体的に表すフローチャートである。
【図４】図３に続くフローチャートである。
【図５】図４における（Ｂ）に対応した動作の内容を表すタイムチャートである。
【図６】本発明の他の実施形態における動作の内容を表すタイムチャートである。
【図７】図６の動作に対応した制御の実行内容を具体的に表すフローチャートである。
【図８】図７に続くフローチャートである。
【図９】図１とは異なった形態の便器装置を示す図である。
【図１０】本発明の更に他の実施形態における動作の内容を表すタイムチャートである。
【図１１】図１０の動作に対応した制御の実行内容を具体的に表すフローチャートである。
【図１２】図１１に続くフローチャートである。
【図１３】本発明の更に他の実施形態における動作の内容を表すタイムチャートである。
【図１４】図１３に対応した制御の実行内容を具体的に表すフローチャートである。
【図１５】図１４に続くフローチャートである。
【図１６】本発明の他の各実施形態における動作の内容を表すタイムチャートである。
【符号の説明】
【００６５】
１０  洋風便器装置
１１  便器
１４  便器本体
１６  便座
３０  ドップラセンサ
３２  マイコン
３４  制御基板（制御部）
【図１】
2005113438.tif 000003
【図２】
2005113438.tif 000004
【図３】
2005113438.tif 000005
【図４】
2005113438.tif 000006
【図５】
2005113438.tif 000007
【図６】
2005113438.tif 000008
【図７】
2005113438.tif 000009
【図８】
2005113438.tif 000010
【図９】
2005113438.tif 000011
【図１０】
2005113438.tif 000012
【図１１】
2005113438.tif 000013
【図１２】
2005113438.tif 000014
【図１３】
2005113438.tif 000015
【図１４】
2005113438.tif 000016
【図１５】
2005113438.tif 000017
【図１６】
2005113438.tif 000018